(57)【特許請求の範囲】
【請求項１】
枠体の一方の縦桟に施錠・解錠するための錠が取付けられた門扉であって、前記錠は、枠体に取付けられる錠ボックスと、錠本体が設けられて前記錠ボックス内に収納される錠ユニットと、錠ユニットの操作部を備え、縦桟に設けられた横方向に貫通する錠用開口部に挿通される錠ボックスのガイド部を通じて錠ユニットが錠ボックスの収納部に挿通されるとともに、前記錠ボックスの収納部は錠用開口部より上下方向に縦長となされてガイド部の奥側に設けられ、該収納部の前面側に操作部が配置されていることを特徴とする門扉。
【請求項２】
前記錠の操作部は、錠ボックスの収納部の前面側において、錠用開口部の上端部より上方、又は下端部より下方に向けて膨出する膨出部に固定されていることを特徴とする請求項１に記載の門扉。
【発明の詳細な説明】
【技術分野】
【０００１】
本発明は、錠が取付けられた門扉に関する。
【背景技術】
【０００２】
従来、門扉に錠を設ける方法としては、錠が収まる幅の縦桟に錠を直接取付けるものが知られている。しかし、これは、錠が収まるよう縦桟の横幅を比較的に大きくする必要があるため、門扉全体の重量が大きくなり、門扉の輸送に大きな労力がかかり、また設置後も自重で錠側が垂れて門扉の枠体が変形したり、門扉を支持するヒンジが変形したりして、不具合が発生するおそれがあった。
【０００３】
また、特許文献１には、門扉錠にシリンダー錠を採用した門扉であって、前記シリンダ−錠のシリンダ−は、門扉錠から取り外し可能な門扉が開示されている。
【０００４】
更に、本出願人においても、一対の縦桟及び横桟を備えた枠体にパネルが取付けられた門扉であって、一方の縦桟に錠ボックス取付用開口部が形成され、シリンダー錠を収容した錠ボックスが前記錠ボックス取付用開口部から上記縦桟に装着され、該錠ボックスを介してシリンダー錠が門扉に取付けられたシリンダ−錠対応門扉を提案している。
【先行技術文献】
【特許文献】
【０００５】
【特許文献１】特開２００６−２９１４８５号公報
【特許文献１】特開２００２−２３５４６５号公報
【発明の開示】
【発明が解決しようとする課題】
【０００６】
ところで、このような錠において、錠の外形は異なることが多いため、通常は、錠を収納する錠ボックスが利用される。これにより作業性も高まり、外観も向上する。この錠ボックスは、縦桟に設けられた開口部から装着されるため、錠ボックスをあまり大きくすると縦桟の開口部も大きくする必要があり、縦桟の強度低下が懸念される。一方、錠としては、カードキー仕様やキーレス仕様等、扉の屋外側に取付けられる操作部が大型化する傾向があり、従来の錠ボックスでは限界があった。
【０００７】
本発明は、前記の如き問題点を解消し、従来の錠の収納形態を保持しつつ、大型化する操作部も強固に固定できる門扉を提供する。
【課題を解決するための手段】
【０００８】
上記目的を達成するために、本発明は次のような構成としている。
すなわち本発明に係る門扉は、枠体の一方の縦桟に施錠・解錠するための錠が取付けられた門扉であって、前記錠は、枠体に取付けられる錠ボックスと、錠本体が設けられて前記錠ボックス内に収納される錠ユニットと、錠ユニットの操作部を備え、縦桟に設けられた横方向に貫通する錠用開口部に挿通される錠ボックスのガイド部を通じて錠ユニットが錠ボックスの収納部に挿通されるとともに、前記錠ボックスの収納部は錠用開口部より上下方向に縦長となされてガイド部の奥側に設けられ、該収納部の前面側に操作部が配置されていることを特徴とするものである。
【０００９】
本発明において、前記錠の操作部は、錠ボックスの収納部の前面側において、錠用開口部の上端部より上方、又は下端部より下方に向けて膨出する膨出部に固定されていることが好ましい。
【発明の効果】
【００１０】
本発明によれば、前記錠は、縦桟に設けられた横方向に貫通する錠用開口部に挿通される錠ボックスのガイド部を通じて錠ユニットが錠ボックスの収納部に挿通されるとともに、前記錠ボックスの収納部は錠用開口部より上下方向に縦長となされてガイド部の奥側に設けられ、該収納部の前面側に操作部が配置されているので、操作部が大型化しても、縦桟の錠用開口部を大きくする必要なく錠ボックスを縦桟に取付けることが可能となり、縦桟の強度を保持することができる。
【００１１】
本発明において、
前記錠の操作部は、錠ボックスの収納部の前面側において、錠用開口部より上下方向に向けて膨出する膨出部に固定すれば、錠ボックスに収納される錠ユニットと干渉することがないので、好ましい。
【図面の簡単な説明】
【００１２】
【図１】本発明に係る門扉の実施の一形態を示す正面図である。
【図２】図１の枠体の説明図である。
【図３】図１の横桟付近のＡ−Ａ断面図である。
【図４】図１の縦桟付近の部分拡大図である。
【図５】図１の錠と縦桟との関係を示す説明図である。
【図６】図１の錠の説明図である。
【図７】図１の錠の説明図である。
【図８】図１の錠の説明図である。
【図９】図１の錠の説明図である。
【発明を実施するための形態】
【００１３】
次に、本発明を実施するための最良の形態について図面を参照し、具体的に説明する。
【００１４】
図１は、本発明に係る門扉の実施の形態を示す正面図である。門扉Ｐは、フェンスＦの間に設けられて、左右に相対向する２個の縦桟１１と上下に間隔をあけて配置される横桟１２とによって形成された枠体１にパネル２が取付けられており、門扉Ｐの一方の側端部に錠３が取付けられ、他方の側端部が門柱７１に取付けられている。
【００１５】
縦桟１１及び横桟１２は、一般に強度的に安定しておりコストの安い鋼管が用いられ、本形態ではいずれも断面四角形状である。鋼管以外に、アルミニウム合金、ステンレス合金等の他の金属からなる金属管を用いてもよい。また縦桟及び横桟の耐食性や耐候性を高めるために、一般的にそれらの表面に金属めっきや塗装が施される。
【００１６】
縦桟１１及び横桟１２は、図２に示すように、本形態では、外形が四角形状になるように組み立てられて枠体１が形成される。縦桟１１の相対向する内側壁１１ａには上下に間隔をあけて断面倒コ字状の取付部材１３が設けられており、この取付部材１３に横桟１２の左右の側端部１２ａが挿入されてボルトＢ１、ナットＮ１によって締結されている。
【００１７】
なお、縦桟１１及び横桟１２の組立構造は、上記構造に限られるものではない。図示しないが、例えば、縦桟１１の内側壁１１ａに横桟１２の左右の側端部１２ａを溶接で直接接合したものでもよい。
【００１８】
パネル２は、本形態では、図１に示すように、多数の縦線材２１と横線材２２とが格子状に配置されると共に、それらの各交差部において溶接により接合されたものである。縦線材２１及び横線材２２は、強度的に安定しておりコストの安い鋼線材が好適に用いられるが、ステンレス合金やアルミニウム合金等の他の金属を用いてもよい。また縦線材２１及び横線材２２の耐食性や耐候性を高めるために、一般的にそれらの表面に金属めっきや塗装が施される。
【００１９】
次に、枠体１に対するパネル２の取付構造について、図３を参照して説明する。図３は図１のパネル２の下方の横桟１２付近のＡ−Ａ断面図である。本形態では、パネル２の下部の横線材２２は、固定部材７２によって下方の横桟１２に固定されている。固定部材７２は、一方に雄ねじ部７３が形成され、もう一方に倒Ｊ字状のフック部７４が設けられた倒Ｊ字状の棒状体である。横桟１２には、固定部材７２が前後方向に貫通する貫通孔１４が設けられている。前記雄ねじ部７３が、貫通孔１４に挿通され、フック部７４の内側にパネル２の横線材２２が係止され、雄ねじ部７３にキャップ付きのナットＮ２が螺入することにより、横桟１２に横線材２２が締結され、パネル２が枠体１に取付けられる。
パネル２の上部においても、前記と同様にして、上部の横線材２２が上方の横桟１２に固定部材７２によって固定されている。
【００２０】
パネル２は、図１に示すような格子体に限られず、金属板、樹脂板、これらを積層した積層板、ポリカーボネートやアクリル樹脂からなる透光性の樹脂板等の板材を用いてもよい。
【００２１】
図４は、図１において、縦桟１１と門柱７１との取付構造を示す部分拡大図である。枠体１において、一方の縦桟１１（図１においては右側の縦桟１１）にはヒンジ部材７５が取付けられており、このヒンジ部材７５と門柱７１に取付けられたヒンジ部材７６とが上下方向に軸支されヒンジ７７を形成し、この軸に対して門扉Ｐが前後方向に回動自在となされている。
【００２２】
図５〜９は図１の錠付近の説明図の説明図である。錠３は、縦桟１１（図１においては左側の縦桟１１）に取付けられる錠ボックス４と、前記錠ボックス４に収納される錠ユニット５と、該錠ボックス４の前面側に取付けられて、錠ユニット５を施錠・解錠するための操作部６とを備えている。
【００２３】
次に、前記縦桟１１に対する錠ボックス４及び錠ユニット５の取付構造について、図５を参照して詳しく説明する。縦桟１１には、内側壁１１ａと枠体１の外周縁となる外側壁１１ｂとを左右に貫通してなる錠用開口部１５が設けられている。
【００２４】
錠ボックス４は、錠ユニット５を収納する筐体であって、縦桟１１の横方向に貫通して設けられた錠用開口部１５に挿通可能であって、且つ、前記錠ユニット５がその内側を通過可能なガイド部４１と、ガイド部４１の奥に設けられて上下方向に膨出する（本形態では上方向に膨出する）膨出部４２が設けられて、錠用開口部１５より縦長に形成された収納部４３とを備えている。また、ガイド部４１の開口端部は、前記錠ユニット５が通過可能な孔部４４を有する蓋部４５が設けられている。
【００２５】
錠ユニット５は、一般に市販されている錠であって、縦板状の鍔部５１と、その一方の面に設けられて錠本体５２が設けられた取付部５３とを備え、前記取付部５３が錠ボックス４の孔部４４を通ってガイド部４１から収納部４３に向けて挿通可能となされて、前記取付部５３が収納部４３内に収納されるようになされている。
【００２６】
錠ユニット５と錠ボックス４とを縦桟１１に取付けるために、本形態では、外側取付板８と内側取付板９が用いられている。
【００２７】
外側取付板８は、縦桟１１の錠用開口部１５において外側壁１１ｂ側の外開口面１５ａの縁部を被覆するものであって、錠用開口部１５よりも大きい縦板状に形成されている。また該外側取付板８には、錠ユニット５の鍔部５１が嵌まり込む凹部８１が設けられるとともに、該凹部８１には、錠ユニット５の取付部５３が挿通される挿通孔８２が設けられている。
【００２８】
内側取付板９は、縦桟１１の錠用開口部１５において、内側壁１１ａの内開口面１５ｂを被覆するものであって、図５に示すように内開口面１５ｂよりも大きい縦板状である。内側取付板９の中央部には、錠ボックス４のガイド部４１が挿入される挿入孔９１が形成され、また該内側取付板９の下端部には、錠ボックス４を載置するための載置片９２が設けられており、本形態では、正面視略逆Ｌ字状に形成されている。
【００２９】
次に上記構成の錠ユニット５と錠ボックス４との取付方法について図５を参照しながら説明する。
【００３０】
まず、内側取付板９の挿入孔９１に錠ボックス４のガイド部４１を挿入し、更に該ガイド部４１を縦桟１１の内側壁１１ａ側から錠用開口部１５に挿入する。次いで外側取付板８の挿通孔８２に錠ユニット５の取付部５３を挿入し、錠ユニット５の鍔部５１が凹部８１と係止するまで嵌め込み、更に縦桟１１の錠用開口部１５に挿入された錠ボックス４のガイド部４１を通じて収納部４３に向けて該取付部５３を挿通する。
そして、錠ユニット５の鍔部５１側上下から、外側取付板８の凹部８１を貫通して錠ボックス４の蓋部４５にねじＳ１を螺着させる。これにより、錠ユニット５、外側取付板８及び錠ボックス４が相互に固定される。
【００３１】
続いて、外側取付板８の上端部側からねじＳ２を縦桟１１及び内側取付板９の上端部を貫通して錠ボックス４をの膨出部４２を螺着させる。また外側取付板８の下端部側から縦桟１１を貫通して内側取付板９の下端部にねじＳ３を螺着させる。これにより、外側取付板８の下端部、縦桟１１及び内側取付板９の下端部がねじＳ２によって締結され、錠ユニット５及び錠ボックス４が縦桟１１に固定される。
【００３２】
更に、内側取付板９の載置片９２から錠ボックス４に向けてねじＳ４を螺入する。これによって、錠ボックス５のがたつきを抑えることができる。
【００３３】
また、前記に用いられるねじＳ１、Ｓ２、Ｓ３、Ｓ４によって締結される各部材には、ねじが通る貫通孔が設けられており、また取付位置に応じて、ねじ先端側の部材の前記孔をバーリング加工して、ナットなしでも螺着できるねじ孔としてもよく、ねじ孔とせずに、貫通孔としてナットに螺着させて締結する形態でもよい。
【００３４】
次に錠ボックス４と操作部６との取付構造について、図６〜９を参考にして詳しく説明する。
【００３５】
操作部６は、錠ユニット５と比べて、上下に縦長に設けられており、錠ボックス４の前面側に固定されている。本形態では、キーカードが挿入されるカード挿入部６１と、門扉Ｐを開閉するためのレバー６２を備えており、キーカード（図示せず）をカード挿入部６１に挿入すると、錠ユニット５の錠本体５２が解錠されて、前記レバー６２を操作することによって、門扉Ｐを開閉することができる。
【００３６】
錠ボックス４と操作部６との間にはめかくし板２３が配設されている。このめかくし板２３は、錠ボックス４の前側を覆ってパネル２の間隙から裏側へ手を入れて錠ユニット５を開錠させるのを防止するためのものである。また、操作部６と錠ユニット４とを互いに固定する際に錠本体５２、レバー６２の連結部材（図示せず）が通過できる様に貫通孔が設けられている。また、めかくし板２３は、錠ボックス４のよりも大きく形成されている。
【００３７】
さらに本形態における操作部６は、錠ボックス４の収納部４３の前面側において、錠用開口部１５の上端部より上方、又は下端部より下方に向けて膨出する膨出部４２に固定されるようになされている。すなわち、錠ユニット５の取付部５３に対して、操作部６は上下方向に縦長に形成されており、錠ボックス４に挿入された錠ユニット５の上面よりも上方側であってめかくし板２３を挟んで対向するように錠ボックス４の収納部４３には、取付部５３が収納されない膨出部４２が上方に突出して形成されて、前記膨出部４２が位置する範囲において、操作部６の上部に二箇所、それよりやや下方の一箇所で前記膨出部４２にねじＳ５によって固定されている。これにより、図８に示すように、操作部６の裏面に専用の取付具６３が突出して設けられている場合であっても、当該取付具６３が前記膨出部４２が位置する範囲であれば、前記取付具６３は、膨出部４２を通して固定することが可能であるので、錠ユニット５と干渉せずに、且つ、膨出部４２を前後に貫通して、裏面の押さえ金具６４を介して錠ボックス４に固定することができる。すなわち、錠ボックス４に収納される錠ユニット５と干渉することなく、膨出部４２を用いて操作部６を固定することができる。
【００３８】
なお、本形態においては、錠ボックス４に対して操作部６の固定面とは反対側には、スペーサー２４が配置されており、操作部６を押さえ金具６４としてのねじＳ５で固定する時に所定の間隔が必要な場合に、該スペーサー２４を用いることによって、その間隔の調整が可能となる。本形態では、前記スペーサー２４を１個用いているが、前記所定の間隔に合わせて、複数枚用いてもよく、また用いなくてもよい。スペーサー２４は、ねじＳ６が、スペーサー２４に設けられた通孔２４ａを通って、錠ボックス４に設けられたビス孔４６に螺入されることによって、錠ボックス４に固定されている。
【００３９】
したがって、操作部６と錠ユニット５とが錠３の施錠・解錠が可能な組合せであれば、上下方向の高さ寸法が異なる場合、すなわち、錠ユニット５は錠用開口部１５を挿通可能であるが、操作部６が取付け向きにおいては、該錠用開口部１５を通過できない大きさの場合でも、錠ユニット５と操作部６とを錠ボックス４に容易に取付けることができる。
【００４０】
これにより、操作部６が、玄関扉のような門扉とは別の箇所に用いられているものであっても、上記のように本発明に係る門扉に取付けることによって、門扉の施錠・解錠を玄関等の門扉以外でカードキーのような鍵と共用することができる。
【００４１】
本発明は、住宅等の出入口に設置される門扉において広く利用することができる。
【符号の説明】
【００４２】
１    枠体
１１  縦桟
１１ａ  内側壁
１１ｂ  外側壁
１１ａ  内開口面
１２  横桟
１３  取付部材
１４  貫通孔
１５  錠用開口部
２    パネル
２１  縦線材
２２  横線材
２３  めかくし板
２４  スペーサー
２４ａ  通孔
３    錠
４  錠ボックス
４１  ガイド部
４２  膨出部
４３  収納部
４４  孔部
４５  蓋部
４６  ビス孔
５    錠ユニット
５１  鍔部
５２  錠本体
５３  取付部
６    操作部
６１  カード挿入部
６２  レバー
６３  取付具
６４  押さえ金具
７１  門柱
７２  固定部材
７３  雄ねじ部
７４  フック部
７５、７６  ヒンジ部材
７７  ヒンジ
８    外側取付部
８１  凹部
８２  挿通孔
９    内側取付板
９１  挿入孔
９２  載置片
Ｂ１  ボルト
Ｆ    フェンス
Ｎ１、Ｎ２  ナット
Ｐ    門扉
Ｓ１、Ｓ２、Ｓ３、Ｓ４、Ｓ５、Ｓ６  ねじ
【図１】
0006050208.tif 000002
【図２】
0006050208.tif 000003
【図３】
0006050208.tif 000004
【図４】
0006050208.tif 000005
【図５】
0006050208.tif 000006
【図６】
0006050208.tif 000007
【図７】
0006050208.tif 000008
【図８】
0006050208.tif 000009
【図９】
0006050208.tif 000010